(57)【特許請求の範囲】
【請求項１】
コードホルダに巻回され、ケース内に収納されるコードの両端を該ケースから突出させ、該コードホルダの軸心回りに該コードの両端を高速回転させて草を刈るコード式刈払機用刈払ヘッドにおいて、
該ケースの外周に対向して設けられた２つのコード挿通孔に該コードを挿通して、該ケースと該コードホルダを相対回転させることにより、該コードを該コードホルダに巻き取り可能であり、
該ケースの外周には、張力を付与可能に該コードを保持する２つのコード保持部が設けられ、
該コード保持部により該コードに張力を付与しつつ、該コードを該コードホルダに巻き取り、
草を刈る際には、該コードの先端を該コード保持部から外すとともに該コード挿通孔から突出させることを特徴とするコード式刈払機用刈払ヘッドのコード巻取り機構。
【請求項２】
前記コード挿通孔は、２つの前記コード保持部を結ぶ直線上、又は該コード保持部から前記コードの巻き取り方向と反対方向に設けられ、
該コード挿通孔と該コード保持部とが前記軸心に対してなす角は、０度から１２０度であることを特徴とする請求項１記載のコード式刈払機用刈払ヘッドのコード巻取り機構。
【請求項３】
前記コード保持部は、前記コードを挿通可能であり、前記ケースの略径方向に開口を有する孔、又は溝であることを特徴とする請求項１又は２記載のコード式刈払機用刈払ヘッドのコード巻取り機構。
【請求項４】
前記コード保持部は、前記コードを挟持する挟持部材であることを特徴とする請求項１又は２記載のコード式刈払機用刈払ヘッドのコード巻取り機構。
【発明の詳細な説明】
【技術分野】
【０００１】
本発明は、コードホルダに巻回されてケース内に収納されるコードの両端をケースから突出させ、コードの両端を高速回転させて草を刈るコード式刈払機用刈払ヘッドのコード巻取り機構に関する。
【背景技術】
【０００２】
従来、コードホルダに巻回されてケース内に収納されるコードの両端をケース外に突出させ、このコードの両端を高速回転させて草を刈るコード式刈払機用刈払ヘッドのコード巻取り機構として特許文献１に記載のものが知られている。このコード式刈払機用刈払ヘッドのコード巻取り機構は、ケース（外装ケース５）の下方にスプリング（１５）により付勢し突出される押圧部（１４）と中仕切部（１２ｃ）を介して２層のコード捲回部（１３ａ、１３ｂ）に区分されるコードホルダ（リール部材１２）とを一体に成形し、ケース（外装ケース５）の回転を伝達または解除する係合機構（２２）と、押圧部（１４）の上昇時にコードホルダ（リール部材１２）をコード（６）の緩み方向に回転させる歩進機構（２５）とを備え、ケース（外装ケース５）の外周にコード挿通孔（１１）を対向して設け、中仕切部（１２ｃ）にコード挿通孔（１１）に近接し振分案内手段（１７）を有するコード案内孔（１８ａ、１８ｂ）を押圧部（１４）の直径方向（Ｉ）に略一直線に設けている。
【０００３】
このコード式刈払機用刈払ヘッドのコード巻取り機構によれば、コード挿通孔（１１）とコード案内孔（１８ａ、１８ｂ）とを一致させ、コード（６）をコード挿通孔（１１）とコード案内孔（１８ａ、１８ｂ）に挿通させた後、押圧部（１４）に対してコードホルダ（リール部材１２）を反時計方向に回転させることにより、刈払ヘッドを分解することなくコード（６）をコードホルダ（リール部材１２）に巻き取ることができる。
【先行技術文献】
【特許文献】
【０００４】
【特許文献１】特開２００５−１２４５０１号公報
【発明の概要】
【発明が解決しようとする課題】
【０００５】
しかし、上記従来のコード式刈払機用刈払ヘッドのコード巻取り機構では、コードホルダ（リール部材１２）に巻き取られたコードが絡み合ってしまい、作業中にコードが正常に繰り出されない事態が生じる。コードの巻き取りに際してコードが絡み合う状態を図９に示す。ただし、図９においては、ケース９０に対しコードホルダを反時計方向に回転させるかわりに、コードホルダに対しケース９０を時計方向に回転させている。まず、図９（１）に示すように、ケース９０の外周に対向して設けられた２つのコード挿通孔９１と、コードホルダ９５の外周に対向して設けられた２つのコード貫通孔９６とにコードＣを挿通する。そして、図９（２）、（３）、（４）に示すように、ケース９０を矢印で示す時計方向に回転させる。
【０００６】
図９（２）は、ケース９０を９０度回転させた図であり、図９（３）は１８０度回転させた図である。また、図９（４）は、ケース９０を２７０度回転させた図である。図９（２）、（３）、（４）に示すように、巻き取り始めのコードＣは、コードＣ自体の弾力性により大きく膨らむためコードホルダ９５に接して巻き取られず、コードホルダ９５から離れて巻き取られる。そして、この後に巻き取られるコードＣが巻き取り始めのコードＣよりも内側に巻き込まれる。このように、コードＣがコードホルダ９５に不規則に巻き取られるためコードＣは絡み合ってしまい、作業中にコードＣが正常に繰り出されない事態が生じる。これを防止するには、コードＣがコードホルダ９５に少し巻き取られるごとにコードＣをケース９０の外側方向に引っ張って、コードＣがコードホルダ９５に接するように巻き取らなければならない。しかしながら、このような作業を確実に行うのは必ずしも容易でないだけでなく、面倒である。
【０００７】
本発明はかかる従来の問題点に鑑みてなされたものであり、コードを絡み合わせることなく、コードホルダに簡単かつ確実に巻き取ることができるコード式刈払機用刈払ヘッドのコード巻取り機構を提供するものである。
【課題を解決するための手段】
【０００８】
上記の課題を解決するために、請求項１に係るコード式刈払機用刈払ヘッドのコード巻
取り機構の特徴は、コードホルダに巻回され、ケース内に収納されるコードの両端を該ケースから突出させ、該コードホルダの軸心回りに該コードの両端を高速回転させて草を刈るコード式刈払機用刈払ヘッドにおいて、該ケースの外周に対向して設けられた２つのコード挿通孔に該コードを挿通して、該ケースと該コードホルダを相対回転させることにより、該コードを該コードホルダに巻き取り可能であり、該ケースの外周には、張力を付与可能に該コードを保持する２つのコード保持部が設けられ、該コード保持部により該コードに張力を付与しつつ、該コードを該コードホルダに巻き取り、草を刈る際には、該コードの先端を該コード保持部から外すとともに該コード挿通孔から突出させることである。
【０００９】
請求項２に係るコード式刈払機用刈払ヘッドのコード巻取り機構の特徴は、前記コード挿通孔は、２つの前記コード保持部を結ぶ直線上、又は該コード保持部から前記コードの巻き取り方向と反対方向に設けられ、該コード挿通孔と該コード保持部とが前記軸心に対してなす角は、０度から１２０度であることである。
【００１０】
請求項３に係るコード式刈払機用刈払ヘッドのコード巻取り機構の特徴は、前記コード保持部は、前記コードを挿通可能であり、前記ケースの略径方向に開口を有する孔、又は溝であることである。
【００１１】
請求項４に係るコード式刈払機用刈払ヘッドのコード巻取り機構の特徴は、前記コード保持部は、前記コードを挟持する挟持部材であることである。
【発明の効果】
【００１２】
請求項１に係るコード式刈払機用刈払ヘッドのコード巻取り機構では、コード挿通孔に
コードを挿通して、コードをコード保持部に保持させた後、ケースとコードホルダを相対
回転させると、２つのコード保持部によりコードに張力を付与しつつ、コードをコードホルダに巻き取ることができる。この際、コードには張力が付与されているため、コードがコードホルダに接するように規則的に巻き取られる。このため、コードがコードホルダで絡み合うことがなく、草を刈る際には、該コードの先端を該コード保持部から外すとともに該コード挿通孔から突出させることができ、作業中にコードを正常に繰り出すことができる。したがって、このコード式刈払機用刈払ヘッドのコード巻取り機構によれば、コードを絡み合わせることなく、コードホルダに簡単かつ確実に巻き取ることができる。
【００１３】
請求項２に係るコード式刈払機用刈払ヘッドのコード巻取り機構では、前記コード挿通孔が、２つの前記コード保持部を結ぶ直線上、又はコード保持部からコードの巻き取り方向と反対方向に設けられているため、コードを巻き取り始める際にコードに確実に張力を与えることができる。また、コード挿通孔とコード保持部とが軸心に対してなす角が０度より小さくては、コードを巻き取り始める際にコードに張力を与えることができない。さらに、コード挿通孔とコード保持部とが軸心に対してなす角が１２０度より大きくては、コードがコードホルダに接触してしまい、コードをコードホルダに巻き取ることが困難になる。この発明では、コード挿通孔とコード保持部とが軸心に対してなす角が０度から１２０度であるため、コードをコードホルダに確実に巻き取ることができる。
【００１４】
請求項３に係るコード式刈払機用刈払ヘッドのコード巻取り機構では、コード保持部はコードを挿通可能であり、ケースの略径方向に開口を有する孔、又は溝であるため、コードに張力を与えつつコードホルダに巻き取ることができる。
【００１５】
請求項４に係るコード式刈払機用刈払ヘッドのコード巻取り機構では、コード保持部はコードを挟持する挟持部材であり、これによってもコードに張力を与えつつコードホルダに巻き取ることができる。
【図面の簡単な説明】
【００１６】
【図１】実施形態のコード巻取り機構を備えるコード式刈払機用刈払ヘッドの刈払機への取付け図。
【図２】実施形態のコード巻取り機構を備えるコード式刈払機用刈払ヘッドの分解斜視図。
【図３】実施形態のコード式刈払機用刈払ヘッドのコード巻取り機構に係り、コード保持部が孔である刈払ヘッドの正面図、及び断面図。
【図４】実施形態のコード式刈払機用刈払ヘッドのコード巻取り機構に係り、コードの巻き取りを示す図。
【図５】実施形態のコード式刈払機用刈払ヘッドのコード巻取り機構に係り、コード保持部が溝であるケースの正面図。
【図６】実施形態のコード式刈払機用刈払ヘッドのコード巻取り機構に係り、コード保持部が孔であるケースの正面図、及び平面図。
【図７】実施形態のコード式刈払機用刈払ヘッドのコード巻取り機構に係り、コード保持部が挟持部材であるケースの正面図、及び平面図。
【図８】実施形態のコード式刈払機用刈払ヘッドのコード巻取り機構に係り、コード保持部が挟持部材であるケースの正面図、及び平面図。
【図９】従来のコード式刈払機用刈払ヘッドのコード巻取り機構に係り、コードの巻き取りを示す図。
【発明を実施するための形態】
【００１７】
本発明に係るコード式刈払機用刈払ヘッドのコード巻取り機構を具体化した実施形態を図面に基づいて以下に説明する。図１は、このコード巻取り機構を備えるコード式刈払機用刈払ヘッド１の刈払機の操作ロッド８０へ取付けを示した図である。図１に示すように、このコード巻取り機構を備えるコード式刈払機用刈払ヘッド１は、刈払機の操作ロッド８０の先端部の取付部８１にボルト８２により取付けられる。コード式刈払機用刈払ヘッド１からは、コードＣが突出され、このコードＣを高速回転させて草を刈ることができる。
【００１８】
図２は、実施形態のコード巻取り機構を備えるコード式刈払機用刈払ヘッド１の分解斜視図である。図２に示すように、このコード巻取り機構を備えるコード式刈払機用刈払ヘッド１は、上蓋２、ストッパ３、ケース１０、及びコードホルダ４を有している。上蓋２は、中空円盤状の蓋本体２ａと、蓋本体２ａの中央部に突設された円筒状の円筒部２ｂとからなっている。この円筒部２ｂの内周には雌ネジ２ｃが形成され、雌ネジ２ｃは後述するコードホルダ４の円筒部５の外周部に形成された雄ネジ５ａと螺合するようになっている。そして、雌ネジ２ｃと雄ネジ５ａとを螺合させて上蓋２とコードホルダ４とを固着させることにより、上蓋２とコードホルダ４が一体として軸線Ｌ回りに回動可能にされている。また、同心円上の対称位置には２個の支柱２ｄが突設されている。
【００１９】
ストッパ３は、わずかに鉤状に屈曲した板状をなし、先端部３ａと後端部３ｂの中央部であって、先端部３ａ寄りの位置には回動孔３ｃが開けられている。この回動孔３ｃに上蓋２の支柱２ｄが挿入され、ストッパ３は支柱２ｄ回りに回動可能にされている。また、先端部３ａには係止爪３ｄが形成されている。さらに、回動孔３ｃから後端部３ｂまでの重量は、回動孔３ｃから先端部３ａまでの重量よりも重くなっている。なお、図示しないスプリングにより、ストッパ３の先端部３ａを上蓋２の径方向外側に押圧してもよい。
【００２０】
ケース１０は、両面に凹部１１、１２を有する円筒状をなし、中央に挿入孔１０ａが開けられている。凹部１１にはストッパ３が収納され、外周面にはストッパ３の先端部３ａが案内される案内面１１ａが形成され、案内面１１ａの８箇所にはストッパ３の係止爪３ｄを係止する係止面１１ｂが形成されている。また、凹部１２側の外周部の対称位置には２組のコード挿通孔１３が設けられている。さらに、ケース１０の外周面の対称位置には、張力を付与しつつコードＣを保持するコード保持部としての孔２０がケース１０の略径方向に開口を有して２つ貫設されている。
【００２１】
コードホルダ４は、円筒部５、底板６、及びフランジ７を有している。円筒部５は円筒状をなし、中空円盤状の底板６の中央に立設されている。円筒部５の中央部には円盤状のフランジ７が設けられ、底板６とフランジ７との間にはコード巻回部８が形成されている。このコード巻回部８にコードＣが巻回されて収納される。この巻回部８に位置する円筒部５の対称位置には２つの貫通孔９（図３（２）参照）が開けられている。また、円筒部５のコード巻回部８より先端側には、外周部に雄ネジ５ａが形成されている。さらに、円筒部５の内周面により中央孔５ｂが形成され、コードＣの巻き取り時において、この中央孔５ｂから貫通孔９を通してコードＣをコード巻回部８に挿入することができるようになっている。
【００２２】
このコード式刈払機用刈払ヘッド１の組付け方法を以下に示す。まず、上蓋２にストッパ３に取付けた後、上蓋２の円筒部２ｂをケース１０の挿入孔１０ａに挿入して、上蓋２をケース１０に取付ける。そして、コードホルダ４の雄ネジ５ａと上蓋２の雌ネジ２ｃとを螺合させて、上蓋２とコードホルダ４とを固着させて、コード式刈払機用刈払ヘッド１が組付けられる。
【００２３】
次に、コード式刈払機用刈払ヘッド１の動作について概説する。ただし、コードＣがコードホルダ４に巻回されケース１０内に収納され、コードＣの両端をケース１０のコード挿通孔１３から突出させているものとする。コード式刈払機の駆動源が駆動されると、ストッパ３の係止爪３ｄがケース１０の係止面１１ｂにより係止されているため、上蓋２、コードホルダ４、及びケース１０は一体となって軸線Ｌ回りに回転する。これにより、コードＣが高速回転して草を刈ることができる。
【００２４】
コードＣが短くなると、コードＣに加わる張力が小さくなりコード式刈払機用刈払ヘッド１の回転数が上がり、ストッパ３の後端部３ｂに加わる遠心力が大きくなり、係止爪３ｄと係止面１１ｂとの係合が外れる。これにより、コードＣが繰り出される。
【００２５】
次に、コード巻取り機構の詳細な構成、及びコードＣのコードホルダ４への巻き取りについて、図３及び図４を用いて詳細に説明する。図３（１）は、コード式刈払機用刈払ヘッド１の正面図であり、図３（２）は、図１（１）におけるＩＩＩ−ＩＩＩ矢視断面図である。ただし、図３（１）は、図２におけるケース１０とコードホルダ４との位置関係を上下反転させた図である。
【００２６】
図３（１）、（２）において、コード巻回部８は、円筒部５の外周部であって底板６とフランジ７との間に形成され、このコード巻回部８にコードＣが巻回されて収納される。２つの孔２０は、ケース１０の外周面の対称位置にケース１０の略径方向に開口を有して貫設され、その開口部は四角形状をなしている。コードＣの巻き取り時において、この孔２０とコードＣとの間に摩擦力が生じることにより、コードＣに張力を付与しつつ保持することができる。なお、開口部の形状は四角形に限られず、例えば円形であってもよい。また、円筒部５の対称位置に開けられた２つの貫通孔９は、コードＣの巻き取り始め時にコードＣを円筒部５に安定して巻回する役目を果たす。さらに、コード挿通孔１３と孔２０とが軸心Ｌに対してなす角θは１２０度である。
【００２７】
このコード巻取り機構によるコードＣのコードホルダ４への巻き取りは、図３（２）に示すように、まず、ケース１０のコード挿通孔１３とコードホルダ４の貫通孔９とが一直線上に配置されるように、コードホルダ４とケース１０とを相対回転させる。そして、コードＣの一端を図３（１）の矢印Ａに示す方向から、コードホルダ４の中央孔５ｂに挿入し、貫通孔９、コード挿通孔１３、及び孔２０を順次通してケース１０の外へ引き出す。コードＣの他端についても同様にして、コードＣの中央部が中央孔５ｂ内に配置されるようにする。こうして、図３（２）に示すように、コードＣのコードホルダ４への取付けが終了する。
【００２８】
そして、コードホルダ４を固定して、ケース１０を図３（２）の矢印で示す時計方向に回転させると、図４に示すように、コードＣがコードホルダ４へ巻き取られる。図４（１）はケース１０を９０度回転させた図であり、図４（２）はケース１０を１８０度回転させた図である。また、図４（３）はケース１０を２７０度回転させた図である。図４（１）〜（３）に示されるように、コードＣには孔２０により張力が付与されているため、コードＣがコードホルダ４のコード巻回部８に接するように規則的に巻き取られる。
【００２９】
また、図３の孔２０の替わりに、図５に示すようにコード保持部としての溝２１が設けられたケース１０を用いてもよい。溝２１は、ケース１０の外周面の対称位置に、ケース１０の略径方向に開口を有して２つ貫設されている。この溝２１によっても、コードＣに張力を付与しつつ保持することができる。なお、コード挿通孔１３と溝２１とが軸心Ｌに対してなす角は１２０度である。
【００３０】
さらに、図３の孔２０の替わりに、図６に示すようにコード保持部としての孔２２が設
けられたケース１０を用いてもよい。孔２２は、ケース１０の外周面の対称位置に、軸心
Ｌに平行に開口を有して２つ貫設されている。また、コード挿通孔１３と孔２２とが軸心
Ｌに対してなす角は０度であるが、孔２２は、軸心Ｌに平行に開口を有しているため、コードＣは折り曲げられて張力を付与される。したがって、この孔２２によっても、コードＣに張力を付与しつつ保持することができる。
【００３１】
また、図３の孔２０の替わりに、図７に示すようにコード保持部としての挟持部材２３が設けられたケース１０を用いてもよい。挟持部材２３は、ケース１０の外周面の対称位置に２つ貫設されている。挟持部材２３は、２枚の板からなり、コードＣが２枚の板の間に挿入されることにより互いに離反する方向に移動し、コードＣを挟んで互いに近接する方向に付勢されるようになっている。これにより、コードＣが挟持部材２３に保持される。また、コード挿通孔１３と挟持部材２３とが軸心Ｌに対してなす角は０度であるが、挟持部材２３の２枚の板の間にコードＣが挟まれることにより、コードＣに張力が付与される。したがって、この挟持部材２３によっても、コードＣに張力を付与しつつ保持することができる。
【００３２】
また、図３の孔２０の替わりに、図８に示すようにコード保持部としての挟持部材２４が設けられたケース１０を用いてもよい。挟持部材２４は、ケース１０の外周面の対称位置に２つ貫設されている。挟持部材２４は、スプリングであり、コードＣが挟持部材２４とケース１０との間に挿入されることにより、挟持部材２４の弾性力によりコードＣが挟持部材２４とケース１０との間に挟まれるようになっている。これにより、コードＣが挟持部材２４に保持される。また、コード挿通孔１３と挟持部材２４とが軸心Ｌに対してなす角は０度であるが、挟持部材２４とケース１０との間にコードＣが挟まれることにより、コードＣに張力が付与される。したがって、この挟持部材２４によっても、コードＣに張力を付与しつつ保持することができる。
【００３３】
実施形態のコード式刈払機用刈払ヘッドのコード巻取り機構においては、コード挿通孔１３にコードＣを挿通して、コードＣをコード保持部２０、２１、２２、２３、２４に保持させた後、ケース１０とコードホルダ４を相対回転させると、コード保持部２０、２１、２２、２３、２４によりコードＣに張力を付与しつつ、コードＣをコードホルダ４に巻き取ることができる。この際、コードＣには張力が付与されているため、コードＣがコードホルダ４に接するように規則的に巻き取られる。このため、コードＣがコードホルダ４で絡み合うことがなく、作業中にコードＣを正常に繰り出すことができる。したがって、このコード式刈払機用刈払ヘッドのコード巻取り機構によれば、コードＣを絡み合わせることなく、コードホルダ４に簡単かつ確実に巻き取ることができる。
【００３４】
また、このコード式刈払機用刈払ヘッドのコード巻取り機構では、コード挿通孔１３がコード保持部２０、２１、２２、２３、２４からコードＣの巻き取り方向と反対方向に設けられているため、コードＣを巻き取り始める際にコードＣに確実に張力を与えることができる。また、コード挿通孔１３とコード保持部２０、２１、２２、２３、２４とが軸心Ｌに対してなす角が０度より小さくては、コードＣを巻き取り始める際にコードＣに張力を与えることができない。さらに、コード挿通孔１３とコード保持部２０、２１、２２、２３、２４とが軸心Ｌに対してなす角が１２０度より大きくては、コードＣがコードホルダ４に接触してしまい、コードＣをコードホルダ４に巻き取ることが困難になる。この発明では、コード挿通孔１３とコード保持部２０、２１、２２、２３、２４とが軸心Ｌに対してなす角が０度から１２０度であるため、コードＣをコードホルダ４に確実に巻き取ることができる。
【００３５】
さらに、このコード式刈払機用刈払ヘッドのコード巻取り機構では、コード保持部２０、２１、２２はコードＣを挿通可能であり、ケース１０の略径方向に開口を有する孔２０、２２、又は溝２１を採用するほか、コードＣを挟持する挟持部材２３、２４を採用しているため、コードＣに張力を与えつつコードホルダ４に巻き取ることができる。
【００３６】
以上、本発明のコード式刈払機用刈払ヘッドのコード巻取り機構を実施形態に即して説明したが、本発明はこれらに制限されるものではなく、本発明の技術的思想に反しない限り、適宜変更して適用できることはいうまでもない。例えば、本実施形態において、本発明のコード巻取り機構を備えたコード式刈払機用刈払ヘッドとして、コードが短くなった場合、刈払ヘッドの回転が速まることによりコードを繰出すものを採用したが、これに限られず、例えば、刈払ヘッドの打当部を地面に打ち当てることによりコードを繰り出すものを採用することもできる。
【符号の説明】
【００３７】
１…コード式刈払機用刈払ヘッド、２…上蓋、３…ストッパ、４…コードホルダ、１０…ケース、１３…コード挿通孔、２０、２１、２２、２３、２４…コード保持部（２０、２２…孔、２１…溝、２３、２４…挟持部材）、Ｃ…コード、Ｌ…軸心。
【図１】
0006466670.tif 000002
【図２】
0006466670.tif 000003
【図３】
0006466670.tif 000004
【図４】
0006466670.tif 000005
【図５】
0006466670.tif 000006
【図６】
0006466670.tif 000007
【図７】
0006466670.tif 000008
【図８】
0006466670.tif 000009
【図９】
0006466670.tif 000010